【手続補正書】
【提出日】令和3年8月26日(2021.8.26)
【手続補正１】
【補正対象書類名】特許請求の範囲
【補正対象項目名】全文
【補正方法】変更
【補正の内容】
【特許請求の範囲】
【請求項１】
一対の構造用ヒューズアセンブリであって、
梁の第１の部分から取られた第１のブランクと、
前記梁の第２の部分から取られた第２のブランクと、
を備え、
前記第１のブランクは、
第１の構造用ヒューズと、
第１の一対のスペーサと、
第１の座屈拘束プレートと、
を備え、
前記第１の構造用ヒューズは、
前記梁の第１のフランジから形成された第１のヒューズベースと、
前記第１のヒューズベースから延びて前記第１のヒューズベースと一体に形成された第１のヒューズ降伏プレートであって、前記第１のヒューズ降伏プレートは前記梁のウェブから形成されており、前記第１のヒューズ降伏プレートは一対の切り欠きによって画定された狭い領域を含む、前記第１のヒューズ降伏プレートと、
を備え、
前記第１の一対のスペーサは、前記梁の前記ウェブから形成され、前記一対の切り欠き内に適合するように構成されており、
前記第1の座屈拘束プレートは、前記梁の第２のフランジから形成されており、
前記第２のブランクは、
第２の構造用ヒューズと、
第２の一対のスペーサと、
第２の座屈拘束プレートと、
を備え、
前記第２の構造用ヒューズは、
前記梁の前記第１のフランジから形成された第２のヒューズベースと、
前記第２のヒューズベースから延びて前記第２のヒューズベースと一体に形成された第２のヒューズ降伏プレートであって、前記第２のヒューズ降伏プレートは前記梁のウェブから形成されており、前記第２のヒューズ降伏プレートは一対の切り欠きによって画定された狭い領域を含む、前記第２のヒューズ降伏プレートと、
を備え、
前記第２の一対のスペーサは、前記梁の前記ウェブから形成され、前記一対の切り欠き内に適合するように構成されており、
前記第２の座屈拘束プレートは、前記梁の前記第２のフランジから形成されており、
前記梁の前記第１及び第２の部分は、前記梁上で互いに直に隣接している、一対の構造用ヒューズアセンブリ。
【請求項２】
前記梁は、標準的な構造用Ｗ形状を有する構造用鋼材である、請求項１に記載の構造用ヒューズアセンブリ。
【請求項３】
前記一対の切り欠き内に前記一対のスペーサを配置すると、前記一対のスペーサの粒子が、前記ヒューズ降伏プレートの粒子と整列する、請求項１又は２に記載の構造用ヒューズアセンブリ。
【請求項４】
構造用ヒューズアセンブリであって、
構造用ヒューズと、
一対のスペーサと、
座屈拘束プレートと、
を備え、
前記構造用ヒューズは、
ヒューズベースと、
前記ヒューズベースから延びて前記ヒューズベースと一体に形成されたヒューズ降伏プレートであって、一対の切り欠きによって画定された狭い領域を含む、前記ヒューズ降伏プレートと、
を備え、
前記一対のスペーサは、前記一対の切り欠き内に適合するように構成されており、
前記構造用ヒューズ、前記一対のスペーサ、及び、前記座屈拘束プレートの全ては、構造用鋼材の単一部品に由来する、構造用ヒューズアセンブリ。
【請求項５】
前記構造用鋼材は、標準的な構造用Ｗ形状の梁である、請求項４に記載の構造用ヒューズアセンブリ。
【請求項６】
前記構造用鋼材は、標準的な構造用Ｗ形状の梁であり、
前記ヒューズベースは、前記梁のフランジから形成されており、
前記ヒューズ降伏プレートは、前記梁のウェブから形成されている、請求項４に記載の構造用ヒューズアセンブリ。
【請求項７】
前記フランジは、第１のフランジを含み、
前記座屈拘束プレートは、前記梁の第２のフランジから形成される、請求項６に記載の構造用ヒューズアセンブリ。
【請求項８】
前記一対のスペーサは、前記梁の前記ウェブから形成されている、請求項６に記載の構造用ヒューズアセンブリ。
【請求項９】
前記一対のスペーサは、前記切り欠きを形成するために切り出された前記ウェブの部分から形成されている、請求項８に記載の構造用ヒューズアセンブリ。
【請求項１０】
前記フランジは、第１のフランジであり、
前記一対のスペーサは、前記ヒューズ降伏プレートの端部と、前記梁の第２のフランジと、の間の前記ウェブの一部から形成されている、請求項８に記載の構造用ヒューズアセンブリ。
【請求項１１】
前記一対の切り欠き内に前記一対のスペーサを配置すると、前記一対のスペーサの粒子が、前記ヒューズ降伏プレートの粒子と整列する、請求項８に記載の構造用ヒューズアセンブリ。
【請求項１２】
構造用ヒューズアセンブリであって、
梁の一部から取られたブランクを備え、
前記ブランクは、
構造用ヒューズと、
一対のスペーサと、
座屈拘束プレートと、
を備え、
前記構造用ヒューズは、
前記梁の第１のフランジから形成されたヒューズベースと、
前記ヒューズベースから延びて前記ヒューズベースと一体に形成されたヒューズ降伏プレートであって、前記ヒューズ降伏プレートは前記梁のウェブから形成されており、前記ヒューズ降伏プレートは一対の切り欠きによって画定された狭い領域を含む、前記ヒューズ降伏プレートと、
を備え、
前記一対のスペーサは、前記梁の前記ウェブから形成され、前記一対の切り欠き内に適合するように構成されており、
前記座屈拘束プレートは、前記梁の第２のフランジから形成されている、
構造用ヒューズアセンブリ。
【請求項１３】
前記一対のスペーサは、前記切り欠きを形成するために切り出された前記ウェブの部分から形成されている、請求項１２に記載の構造用ヒューズアセンブリ。
【請求項１４】
前記一対のスペーサは、前記ヒューズ降伏プレートの端部と、前記梁の前記第２のフランジと、の間の前記ウェブの一部から形成されている、請求項１２に記載の構造用ヒューズアセンブリ。
【請求項１５】
構造用ヒューズアセンブリであって、
梁の一部から取られたブランクを備え、
前記ブランクは、構造用ヒューズを備え、
前記構造用ヒューズは、
前記梁の第１のフランジから形成されたヒューズベースと、
前記ヒューズベースから延びて前記ヒューズベースと一体に形成されたヒューズ降伏プレートであって、前記ヒューズ降伏プレートは前記梁のウェブから形成されている、前記ヒューズ降伏プレートと、
を備える、
構造用ヒューズアセンブリ。
【請求項１６】
前記ブランクは、さらに、前記梁の第２のフランジから形成された座屈拘束プレートを備える、請求項１５に記載の構造用ヒューズアセンブリ。
【請求項１７】
座屈拘束プレートをさらに備える、請求項１５に記載の構造用ヒューズアセンブリ。
【請求項１８】
前記座屈拘束プレートは、前記梁に由来する、請求項１７に記載の構造用ヒューズアセンブリ。
【請求項１９】
前記ヒューズ降伏プレートは、一対の切り欠きによって画定された狭い領域を含み、
前記構造用ヒューズアセンブリは、さらに、前記一対の切り欠き内に適合するように構成されている一対のスペーサを備える、請求項１５から１８のいずれか一項に記載の構造用ヒューズアセンブリ。
【請求項２０】
前記一対のスペーサは、前記梁の前記ウェブから形成される、請求項１９に記載の構造用ヒューズアセンブリ。
【請求項２１】
前記一対の切り欠き内に前記一対のスペーサを配置すると、前記一対のスペーサの粒子が、前記ヒューズ降伏プレートの粒子と整列する、請求項１９又は２０に記載の構造用ヒューズアセンブリ。
【請求項２２】
構造用ヒューズアセンブリの製造方法であって、
第１のフランジと、前記第１のフランジから直交方向に延び、前記第１のフランジと一体に形成されたウェブと、を少なくとも含む構造用鋼材からブランクを切断する工程（ａ）と、
前記ブランクの前記第１のフランジを前記構造用ヒューズアセンブリのヒューズベースへと形成する工程（ｂ）と、
前記ブランクの前記ウェブを前記構造用ヒューズアセンブリのヒューズ降伏プレートへと形成する工程（ｃ）と、
を含む、構造用ヒューズアセンブリの製造方法。
【請求項２３】
構造用鋼材からブランクを切断する前記工程（ａ）は、梁からブランクを切断することを含む、請求項２２に記載の製造方法。
【請求項２４】
構造用鋼材からブランクを切断する前記工程（ａ）は、プラズマ切断によってブランクを切断することを含む、請求項２２に記載の製造方法。
【請求項２５】
前記ブランクの前記第１のフランジをヒューズベースへと形成する前記工程（ｂ）は、前記第１のフランジ内にボルト孔を形成することを含む、請求項２２から２４のいずれか一項に記載の製造方法。
【請求項２６】
前記ブランクの前記ウェブをヒューズ降伏プレートへと形成する前記工程（ｃ）は、
前記ウェブ内にボルト孔を形成することと、
前記ウェブの隣接領域よりも狭い幅を有する領域を画定するために一対の切り欠きを切り出すことと、
を含む、請求項２２から２５のいずれか一項に記載の製造方法。
【請求項２７】
前記製造方法は、さらに、
前記ウェブから一対のスペーサを切り出す工程を含み、
前記一対のスペーサは、前記一対の切り欠き内に適合するように構成されている、請求項２６に記載の製造方法。
【請求項２８】
前記構造用鋼材は、前記ウェブと一体に形成されており、前記第１のフランジと対向する前記ウェブの側部において前記ウェブから直交方向に延びる、第２のフランジを含み、
前記製造方法は、さらに、
前記構造用ヒューズアセンブリの座屈拘束プレートを前記第２のフランジから形成する工程を含む、請求項２２から２７のいずれか一項に記載の製造方法。
【手続補正２】
【補正対象書類名】明細書
【補正対象項目名】００４４
【補正方法】変更
【補正の内容】
【００４４】
本発明の前述の詳細な説明は、例示および説明の目的で提示されている。包括的であること、または開示される正確な形態に本発明を限定することを意図するものではない。上記説明の観点から、多くの修正およびバリエーションが可能である。記載された実施形態は、本発明の原理およびその実用的な適用を最もよく説明するために選択されており、それによって、他の当業者が、様々な実施形態において、意図される特定の使用に適した様々な修正を伴って、本発明を最適に利用することを可能にした。本発明の範囲は、添付の特許請求の範囲によって定義されることが意図される。
以下に、本明細書で開示の技術を列挙する。
（請求項１）
一対の構造用ヒューズアセンブリであって、
梁の第１の部分から取られた第１のブランクと、
前記梁の第２の部分から取られた第２のブランクと、
を備え、
前記第１のブランクは、
第１の構造用ヒューズと、
第１の一対のスペーサと、
第１の座屈拘束プレートと、
を備え、
前記第１の構造用ヒューズは、
前記梁の第１のフランジから形成された第１のヒューズベースと、
前記ヒューズベースから延びて前記ヒューズベースと一体に形成された第１のヒューズ降伏プレートであって、前記ヒューズプレートは前記梁のウェブから形成されており、前記ヒューズ降伏プレートは一対の切り欠きによって画定された狭い領域を含む、前記第１のヒューズ降伏プレートと、
を備え、
前記第１の一対のスペーサは、前記梁の前記ウェブから形成され、前記一対の切り欠き内に適合するように構成されており、
前記第1の座屈拘束プレートは、前記梁の第２のフランジから形成されており、
前記第２のブランクは、
第２の構造用ヒューズと、
第２の一対のスペーサと、
第２の座屈拘束プレートと、
を備え、
前記第２の構造用ヒューズは、
前記梁の前記第１のフランジから形成された第２のヒューズベースと、
前記ヒューズベースから延びて前記ヒューズベースと一体に形成された第２のヒューズ降伏プレートであって、前記ヒューズプレートは前記梁のウェブから形成されており、前記ヒューズ降伏プレートは一対の切り欠きによって画定された狭い領域を含む、前記第２のヒューズ降伏プレートと、
を備え、
前記第２の一対のスペーサは、前記梁の前記ウェブから形成され、前記一対の切り欠き内に適合するように構成されており、
前記第２の座屈拘束プレートは、前記梁の第２のフランジから形成されており、
梁の前記第１及び第２の部分は、前記梁上で互いに直に隣接している、一対の構造用ヒューズアセンブリ。
（請求項２）
前記梁は、標準的な構造用Ｗ形状を有する構造用鋼材である、請求項１に記載の構造用ヒューズアセンブリ。
（請求項３）
前記一対の切り欠き内に前記一対のスペーサを配置すると、前記一対のスペーサの粒子が、前記ヒューズ降伏プレートの粒子と整列する、請求項１に記載の構造用ヒューズアセンブリ。
（請求項４）
構造用ヒューズアセンブリであって、
構造用ヒューズと、
一対のスペーサと、
座屈拘束プレートと、
を備え、
前記構造用ヒューズは、
ヒューズベースと、
前記ヒューズベースから延びて前記ヒューズベースと一体に形成されたヒューズ降伏プレートであって、一対の切り欠きによって画定された狭い領域を含む、前記ヒューズ降伏プレートと、
を備え、
前記一対のスペーサは、前記一対の切り欠き内に適合するように構成されており、
前記構造用ヒューズ、前記一対のスペーサ、及び、前記座屈拘束プレートの全ては、構造用鋼材の単一部品に由来する、構造用ヒューズアセンブリ。
（請求項５）
前記構造用鋼材は、標準的な構造用Ｗ形状の梁である、請求項４に記載の構造用ヒューズアセンブリ。
（請求項６）
前記構造用鋼材は、標準的な構造用Ｗ形状の梁であり、
前記ヒューズベースは、前記梁のフランジから形成されており、
前記ヒューズ降伏プレートは、前記梁のウェブから形成されている、請求項４に記載の構造用ヒューズアセンブリ。
（請求項７）
前記フランジは、第１のフランジを含み、
前記座屈拘束プレートは、前記梁の第２のフランジから形成される、請求項６に記載の構造用ヒューズアセンブリ。
（請求項８）
前記一対のスペーサは、前記梁の前記ウェブから形成されている、請求項６に記載の構造用ヒューズアセンブリ。
（請求項９）
前記一対のスペーサは、前記切り欠きを形成するために切り出された前記ウェブの部分から形成されている、請求項８に記載の構造用ヒューズアセンブリ。
（請求項１０）
前記フランジは、第１のフランジであり、
前記一対のスペーサは、前記構造用ヒューズ降伏プレートの端部と、前記梁の第２のフランジと、の間の前記ウェブの一部から形成されている、請求項８に記載の構造用ヒューズアセンブリ。
（請求項１１）
前記一対の切り欠き内に前記一対のスペーサを配置すると、前記一対のスペーサの粒子が、前記ヒューズ降伏プレートの粒子と整列する、請求項８に記載の構造用ヒューズアセンブリ。
（請求項１２）
構造用ヒューズアセンブリであって、
梁の一部から取られたブランクを備え、
前記ブランクは、
構造用ヒューズと、
一対のスペーサと、
座屈拘束プレートと、
を備え、
前記構造用ヒューズは、
前記梁の第１のフランジから形成されたヒューズベースと、
前記ヒューズベースから延びて前記ヒューズベースと一体に形成されたヒューズ降伏プレートであって、前記ヒューズプレートは前記梁のウェブから形成されており、前記ヒューズ降伏プレートは一対の切り欠きによって画定された狭い領域を含む、前記ヒューズ降伏プレートと、
を備え、
前記一対のスペーサは、前記梁の前記ウェブから形成され、前記一対の切り欠き内に適合するように構成されており、
前記座屈拘束プレートは、前記梁の第２のフランジから形成されている、
構造用ヒューズアセンブリ。
（請求項１３）
前記一対のスペーサは、前記切り欠きを形成するために切り出された前記ウェブの部分から形成されている、請求項１２に記載の構造用ヒューズアセンブリ。
（請求項１４）
前記一対のスペーサは、前記構造用ヒューズ降伏プレートの端部と、前記梁の前記第２のフランジと、の間の前記ウェブの一部から形成されている、
（請求項１５）
構造用ヒューズアセンブリであって、
梁の一部から取られたブランクを備え、
前記ブランクは、構造用ヒューズを備え、
前記構造用ヒューズは、
前記梁の第１のフランジから形成されたヒューズベースと、
前記ヒューズベースから延びて前記ヒューズベースと一体に形成されたヒューズ降伏プレートであって、前記ヒューズプレートは前記梁のウェブから形成されている、前記ヒューズ降伏プレートと、
を備える、
構造用ヒューズアセンブリ。
（請求項１６）
前記ブランクは、さらに、前記梁の第２のフランジから形成された座屈拘束プレートを備える、請求項１５に記載の構造用ヒューズアセンブリ。
（請求項１７）
座屈拘束プレートをさらに備える、請求項１５に記載の構造用ヒューズアセンブリ。
（請求項１８）
前記座屈拘束プレートは、前記梁に由来する、請求項１５に記載の構造用ヒューズアセンブリ。
（請求項１９）
前記ヒューズ降伏プレートは、一対の切り欠きによって画定された狭い領域を含み、
前記構造用ヒューズアセンブリは、さらに、前記一対の切り欠き内に適合するように構成されている一対のスペーサを備える、請求項１５に記載の構造用ヒューズアセンブリ。
（請求項２０）
前記一対のスペーサは、前記梁の前記ウェブから形成される、請求項１９に記載の構造用ヒューズアセンブリ。
（請求項２１）
前記一対の切り欠き内に前記一対のスペーサを配置すると、前記一対のスペーサの粒子が、前記ヒューズ降伏プレートの粒子と整列する、請求項１９に記載の構造用ヒューズアセンブリ。
（請求項２２）
構造用ヒューズアセンブリの製造方法であって、
第１のフランジと、前記第１のフランジから直交方向に延び、前記第１のフランジと一体に形成されたウェブと、を少なくとも含む構造用鋼材からブランクを切断する工程（ａ）と、
前記ブランクの前記第１のフランジを前記構造用ヒューズアセンブリのヒューズベースへと形成する工程（ｂ）と、
前記ブランクの前記ウェブを前記構造用ヒューズアセンブリのヒューズ降伏プレートへと形成する工程（ｃ）と、
を含む、構造用ヒューズアセンブリの製造方法。
（請求項２３）
構造用鋼材からブランクを切断する前記工程（ａ）は、梁からブランクを切断することを含む、請求項２２に記載の製造方法。
（請求項２４）
構造用鋼材からブランクを切断する前記工程（ａ）は、プラズマ切断によってブランクを切断することを含む、請求項２２に記載の製造方法。
（請求項２５）
前記ブランクの前記第１のフランジをヒューズベースへと形成する前記工程（ｂ）は、前記第１のフランジ内にボルト孔を形成することを含む、請求項２２に記載の製造方法。
（請求項２６）
前記ブランクの前記ウェブをヒューズ降伏プレートへと形成する前記工程（ｃ）は、
前記ウェブ内にボルト孔を形成することと、
前記ウェブの隣接領域よりも狭い幅を有する領域を画定するために一対の切り欠きを切り出すことと、
を含む、請求項２２に記載の製造方法。
（請求項２７）
前記製造方法は、さらに、
前記ウェブから一対のスペーサを切り出す工程を含み、
前記一対のスペーサは、前記一対の切り欠き内に適合するように構成されている、請求項２６に記載の製造方法。
（請求項２８）
前記構造用鋼材は、前記ウェブと一体に形成されており、前記第１のフランジと対向する前記ウェブの側部において前記ウェブから直交方向に延びる、第２のフランジを含み、
前記製造方法は、さらに、
前記構造用ヒューズアセンブリの座屈拘束プレートを前記第２のフランジから形成する工程を含む、請求項２２に記載の製造方法。